(57)【要約】【課題】信号品質に対する要求の異なるキャリアが混在したマルチキャリア送信信号に対して、簡単な構成でありながら、ピークファクタの低減効果を確実に得られる、ピークファクタ低減装置等を提供する。【解決手段】本発明のピークファクタ低減装置１１は、キャリア１〜４が合成されて成るマルチキャリア信号ｅの過剰なピーク成分ｈ検出し、ピーク成分ｈに相当する第一の補正信号ｊを生成する補正信号生成手段１２と、各キャリア１〜４毎の周波数帯域の範囲内に第一の補正信号ｊの周波数帯域を制限して第二の補正信号ｋを生成するフィルタ手段１３と、マルチキャリア信号ｆから第二の補正信号ｋを減算して出力する出力手段１４と、を備えることを特徴とする。出力手段１４から出力されたマルチキャリア信号ｇは、過剰なピーク成分ｈが抑圧されている。【選択図】図１
2010226589.tif 000002
【特許請求の範囲】
【請求項１】
複数のキャリアが合成されて成るマルチキャリア信号の過剰なピーク成分を検出し、当該ピーク成分に相当する第一の補正信号を生成する補正信号生成手段と、
前記各キャリア毎の周波数帯域の範囲内に前記第一の補正信号の周波数帯域を制限して第二の補正信号を生成するフィルタ手段と、
前記マルチキャリア信号から前記第二の補正信号を減算して出力する出力手段と、
を備えたピークファクタ低減装置であって、
前記フィルタ手段は、
前記マルチキャリア信号を構成し得る複数のキャリアについて、信号種別毎にタップ係数を予め格納しておくタップ係数メモリと、
前記マルチキャリア信号に含まれる前記複数のキャリアのそれぞれに対応する前記タップ係数を、前記タップ係数メモリから読み出し、読み出したこれらのタップ係数を合成演算するタップ係数演算部と、
前記タップ係数演算部で合成演算されたタップ係数を用い複素ＦＩＲフィルタとして動作する複素ＦＩＲフィルタ部と、
を有することを特徴とするピークファクタ低減装置。
【請求項２】
前記補正信号生成手段は、
前記マルチキャリア信号のピーク成分を検出するピーク検出回路と、
前記ピーク検出回路で検出された前記ピーク成分からしきい値を減算するしきい値減算回路と、
前記しきい値減算回路で減算された残りの成分が正であるとき、前記残りの成分を前記第一の補正信号として出力する補正信号生成部と、
を有することを特徴とする請求項１記載のピークファクタ低減装置。
【請求項３】
前記出力手段は、
前記マルチキャリア信号から前記第二の補正信号が生成されるまでの時間だけ当該マルチキャリア信号を遅延させる遅延回路と、
前記遅延回路で遅延した前記マルチキャリア信号から、前記フィルタ手段で生成された前記第二の補正信号を減算する減算回路と、
を有することを特徴とする請求項１又は２記載のピークファクタ低減装置。
【請求項４】
請求項１乃至３のいずれか一項記載のピークファクタ低減装置と、
前記複数のキャリアを合成して前記マルチキャリア信号を生成し、合成されたこのマルチキャリア信号を前記ピークファクタ低減装置へ出力するマルチキャリア信号生成手段と、
を備えることを特徴とする送信機。
【請求項５】
複数のキャリアが合成されて成るマルチキャリア信号の過剰なピーク成分を検出し、当該ピーク成分に相当する第一の補正信号を生成し、
前記各キャリア毎の周波数帯域の範囲内に前記第一の補正信号の周波数帯域を制限して第二の補正信号を生成し、
前記マルチキャリア信号から前記第二の補正信号を減算して出力する、
ピークファクタ低減方法であって、
前記マルチキャリア信号を構成し得る複数のキャリアについて、信号種別毎にタップ係数を予めタップ係数メモリに格納しておき、
前記マルチキャリア信号に含まれる前記複数のキャリアのそれぞれに対応する前記タップ係数を、前記タップ係数メモリから読み出し、読み出したこれらのタップ係数を合成演算し、
これらの合成演算されたタップ係数を用いて複素ＦＩＲフィルタを動作させることにより、
前記各キャリア毎の周波数帯域の範囲内に前記第一の補正信号の周波数帯域を制限して前記第二の補正信号を生成する、
ことを特徴とするピークファクタ低減方法。
【発明の詳細な説明】
【技術分野】
【０００１】
本発明は、無線通信システムにおける送信機に利用されるものであり、マルチキャリア送信信号のピークファクタ低減装置等に関する。
【背景技術】
【０００２】
従来、移動通信の分野では、基地局における送信装置の小型化や低消費電力化を図る目的から、電力増幅器の動作バックオフ（出力最大振幅レベルと出力飽和電力レベルの差）を低減させるため、送信信号のピークファクタ低減が実施されている。ここで、ピークファクタとは、信号の瞬時最大電力と平均電力との比をいう。ピークファクタ低減とは、送信信号に対して若干の品質劣化を許容して、ピーク成分を抑圧する信号処理をいう。例えば、特許文献１、２等に、ピークファクタ低減に関する技術が開示されている。ただし、いずれの特許文献にも、マルチキャリア合成信号に対応する旨の記載はない。
【０００３】
更に近年では、伝送効率向上のためのＷ−ＣＤＭＡ（wideband code division multiple access）におけるＨＳＤＰＡ（high speed downlink packet access：高速ダウンリンクパケット伝送）や、周波数利用効率向上のためのＯＦＤＭ（orthogonal frequency division multiplexing）変調方式が採用されようとしている。この場合、従来のＱＰＳＫ（quadrature phase shift keying）ではなく、多値ＱＡＭ（quadrature amplitude modulation）方式が用いられるため、信号品質すなわちＥＶＭ（error vector magnitude：変調精度）やＰＣＤＥ（peak code domain error）に対する要求が、従来のＱＰＳＫ方式の場合よりも厳しい規格となっている。すなわち、ＨＳＤＰＡを適用するキャリアやＯＦＤＭを適用するキャリアについては、ピーク信号抑圧を緩くする必要があった。
【０００４】
マルチキャリア送信において、従来のＱＰＳＫ適用キャリアと多値ＱＡＭ適用キャリアとが混在した場合に、次の問題があった。その問題とは、規格が厳しい多値ＱＡＭキャリアの条件に合わせて信号品質を上げるためピーク信号抑圧を緩くしようとすると、電力増幅器の動作バックオフを増加させる必要があるので、効率の低下による消費電力増加や装置の大型化を招く、ということである。
【０００５】
ここで、この問題に対して、次のような関連技術が提案されている（例えば特許文献３）。その関連技術は、マルチキャリア合成後のピークファクタ低減回路と、その前段のマルチキャリア合成前の各キャリア毎のリミッタ回路とを備え、各キャリアの信号種別情報によって各キャリア毎のリミッタ回路のリミットしきい値を設定するキャリア毎リミットしきい値設定部を更に備えている。
【０００６】
図４は、この関連技術に係るピークファクタ低減装置を示すブロック図である。以下、この図面に基づき説明する。
【０００７】
キャリア１ ＩＱ信号、キャリア２ ＩＱ信号、キャリア３ ＩＱ信号、キャリア４ ＩＱ信号は、それぞれキャリア毎のリミッタ回路３２ａ、３２ｂ、３２ｃ、３２ｄに入力される。リミッタ回路３２ａ、３２ｂ、３２ｃ、３２ｄでは、キャリア毎リミットしきい値設定部３３によって設定されたしきい値以上のピーク成分を抑圧する。次に、リミッタ回路３２ａ、３２ｂ、３２ｃ、３２ｄの出力ＩＱ信号は、周波数オフセット用の数値制御発振部２１ａ、２１ｂ、２１ｃ、２１ｄからの周波数回転信号と周波数オフセット用の複素乗算回路２２ａ、２２ｂ、２２ｃ、２２ｄとによって、各キャリア毎に所要の周波数オフセット（例えば±２．５ＭＨｚ、±７．５ＭＨｚなど）が施され、更に遅延回路３４ａ、３４ｂ、３４ｃ、３４ｄによって所要の遅延を加えられた後、乗算回路３５ａ、３５ｂ、３５ｃ、３５ｄを介して合成回路２３によってマルチキャリア合成される。
【０００８】
また、各キャリア毎に所要の周波数オフセットが施された周波数オフセット用の複素乗算回路２２ａ、２２ｂ、２２ｃ、２２ｄの出力を合成回路３６で加算した後、ピーク検出回路３７によってマルチキャリア信号としてのピーク成分を検出し、補正値演算部３８に設定されたマルチキャリアリミットしきい値によってピーク抑圧用補正値を算出する。算出された補正値は、乗算回路３５ａ、３５ｂ、３５ｃ、３５ｄによって主信号系に乗算されて、マルチキャリア信号としてのピークファクタが低減される。遅延回路３４ａ、３４ｂ、３４ｃ、３４ｄは、合成回路３６、ピーク検出回路３７及び補正値演算部３８によるピーク抑圧用補正値を出力するまでの処理時間と同じだけの遅延を、主信号に対して加えるものである。
【０００９】
キャリア毎リミットしきい値設定部３３では、外部（上位装置）からの各キャリアＯＮ／ＯＦＦ情報及び信号種別情報（ＱＰＳＫ又は多値ＱＡＭ等）のキャリア情報に基づいて、キャリア毎のリミットしきい値をキャリア毎のリミッタ回路３２ａ、３２ｂ、３２ｃ、３２ｄに設定する。
【先行技術文献】
【特許文献】
【００１０】
【特許文献１】特開２００３−１２４８２４号公報
【特許文献２】特開２００４−１７９８１３号公報
【特許文献３】特開２００４−０６４７１１号公報
【発明の概要】
【発明が解決しようとする課題】
【００１１】
しかしながら、上記関連技術では、各キャリアの信号種別情報によって対応するリミッタ回路の構成が、各キャリア毎にピークファクタを低減するものである。そのため、キャリア単位でピーク成分を抑圧してもマルチキャリア合成後に再度ピークが発生し、電力増幅器に入力されるマルチキャリア合成信号としては所要のピークファクタ低減効果が得られない、という問題があった。また、回路構成的にも、マルチキャリア合成後のピークファクタ低減回路とは別に、キャリア毎のリミット回路を必要とするため、回路規模も非常に大きいものとなる、という問題があった。
【００１２】
そこで、本発明の目的は、信号品質に対する要求の異なるキャリアが混在したマルチキャリア送信信号に対して、簡単な構成でありながら、ピークファクタの低減効果を確実に得られる、ピークファクタ低減装置等を提供することにある。
【課題を解決するための手段】
【００１３】
本発明に係るピークファクタ低減装置は、
複数のキャリアが合成されて成るマルチキャリア信号の過剰なピーク成分を検出し、当該ピーク成分に相当する第一の補正信号を生成する補正信号生成手段と、
前記各キャリア毎の周波数帯域の範囲内に前記第一の補正信号の周波数帯域を制限して第二の補正信号を生成するフィルタ手段と、
前記マルチキャリア信号から前記第二の補正信号を減算して出力する出力手段と、
を備えたピークファクタ低減装置であって、
前記フィルタ手段は、
前記マルチキャリア信号を構成し得る複数のキャリアについて、信号種別毎にタップ係数を予め格納しておくタップ係数メモリと、
前記マルチキャリア信号に含まれる前記複数のキャリアのそれぞれに対応する前記タップ係数を、前記タップ係数メモリから読み出し、読み出したこれらのタップ係数を合成演算するタップ係数演算部と、
前記タップ係数演算部で合成演算されたタップ係数を用い複素ＦＩＲフィルタとして動作する複素ＦＩＲフィルタ部と、
を有することを特徴とするピークファクタ低減装置。
【００１４】
本発明に係る送信機は、
本発明に係るピークファクタ低減装置と、
前記複数のキャリアを合成して前記マルチキャリア信号を生成するマルチキャリア信号生成手段と、
を備えることを特徴とする。
【００１５】
本発明に係るピークファクタ低減方法は、
複数のキャリアが合成されて成るマルチキャリア信号の過剰なピーク成分を検出し、当該ピーク成分に相当する第一の補正信号を生成し、
前記各キャリア毎の周波数帯域の範囲内に前記第一の補正信号の周波数帯域を制限して第二の補正信号を生成し、
前記マルチキャリア信号から前記第二の補正信号を減算して出力する、
ピークファクタ低減方法であって、
前記マルチキャリア信号を構成し得る複数のキャリアについて、信号種別毎にタップ係数を予めタップ係数メモリに格納しておき、
前記マルチキャリア信号に含まれる前記複数のキャリアのそれぞれに対応する前記タップ係数を、前記タップ係数メモリから読み出し、読み出したこれらのタップ係数を合成演算し、
これらの合成演算されたタップ係数を用いて複素ＦＩＲフィルタを動作させることにより、
前記各キャリア毎の周波数帯域の範囲内に前記第一の補正信号の周波数帯域を制限して前記第二の補正信号を生成する、
ことを特徴とするピークファクタ低減方法。
【発明の効果】
【００１６】
本発明によれば、複数のキャリアを合成した後のマルチキャリア信号に対して過剰なピークを抑制することにより、複数のキャリアに対してそれぞれの過剰なピークを抑制した後にこれらを合成する場合にマルチキャリア信号に再び過剰なピークが生ずることを、防止することができる。また、複数Ｎのキャリアに対してそれぞれの過剰なピークを抑制する手段はＮ個必要であるのに対して、マルチキャリア信号に対して過剰なピークを抑制する手段は１個でよいので、構成を簡素化できる。したがって、本発明によれば、信号品質に対する要求の異なるキャリアが混在したマルチキャリア送信信号に対して、簡単な構成でありながら、ピークファクタの低減効果を確実に得られる。
【図面の簡単な説明】
【００１７】
【図１】本発明に係るピークファクタ低減装置の一実施形態を示すブロック図である。
【図２】実施形態のピークファクタ低減装置の動作の一部を示すフローチャートである。
【図３】実施形態において、マルチキャリア信号に対してキャリア毎に異なるピーク抑圧処理を行う方法を説明するためのグラフである。図示しないが、横軸は周波数［Ｈｚ］、縦軸はゲイン［ｄＢ］である。
【図４】関連技術に係るピークファクタ低減装置を示すブロック図である。
【発明を実施するための形態】
【００１８】
次に、本発明の実施形態について図面を参照して説明する。図１は、本発明に係るピークファクタ低減装置の一実施形態を示すブロック図である。図１において、図４に示す関連技術と同一部分には同一符号を付している。以下、この図面に基づき説明する。
【００１９】
本実施形態のピークファクタ低減装置１１は、キャリア１〜４が合成されて成るマルチキャリア信号ｅの過剰なピーク成分ｈ検出し、ピーク成分ｈに相当する第一の補正信号ｊを生成する補正信号生成手段１２と、各キャリア１〜４毎の周波数帯域の範囲内に第一の補正信号ｊの周波数帯域を制限して第二の補正信号ｋを生成するフィルタ手段１３と、マルチキャリア信号ｆから第二の補正信号ｋを減算して出力する出力手段１４と、を備えることを特徴とする。出力手段１４から出力されたマルチキャリア信号ｇは、過剰なピーク成分ｈが抑圧されている。
【００２０】
フィルタ手段１３は、マルチキャリア信号ｅを構成し得るキャリアについて、信号種別毎にタップ係数１〜ｎを予め格納しておくタップ係数メモリ３１と、マルチキャリア信号ｅに含まれるキャリア１〜４について、それぞれに対応するタップ係数をタップ係数メモリ３１から読み出し、これらのタップ係数を合成演算するタップ係数演算部３０と、タップ係数演算部３０で合成演算されたタップ係数ｍを用い複素ＦＩＲ（finite impulse response）フィルタとして動作する複素ＦＩＲフィルタ部２７と、を有する。
【００２１】
補正信号生成手段１２は、マルチキャリア信号ｅのピーク成分ｈを検出するピーク検出回路２４と、ピーク検出回路２４で検出されたピーク成分ｈからしきい値ｌを減算するしきい値減算回路２５と、しきい値減算回路２５で減算された残りの成分ｉが正であるとき、その成分ｉを第一の補正信号ｊとして出力する補正信号生成部２６と、を有する。
【００２２】
出力手段１４は、マルチキャリア信号ｅから第二の補正信号ｋが生成されるまでの時間だけマルチキャリア信号ｅを遅延させる遅延回路２８と、遅延回路２８で遅延したマルチキャリア信号ｆから、フィルタ手段１３で生成された第二の補正信号ｋを減算する減算回路２９と、を有する。
【００２３】
送信機１０は、ピークファクタ低減装置１１と、キャリア１〜４を合成してマルチキャリア信号ｅを生成しマルチキャリア信号ｅをピークファクタ低減装置１１へ出力するマルチキャリア信号生成手段１５と、を備える。
【００２４】
また、本実施形態のピークファクタ低減方法は、本実施形態のピークファクタ低減装置１１の動作に相当し、次のような手順を有する。
【００２５】
キャリア１〜４が合成されて成るマルチキャリア信号ｅについて過剰なピーク成分ｈを検出し、ピーク成分ｈに相当する第一の補正信号ｊを生成する（図２ステップ１０１）。続いて、キャリア１〜４毎の周波数帯域の範囲内に、第一の補正信号ｊの周波数帯域を制限することにより、第二の補正信号ｋを生成する（図２ステップ１０２）。続いて、マルチキャリア信号ｆから第二の補正信号ｋを減算して出力する（図２ステップ１０３）。
【００２６】
第二の補正信号ｋを生成する際に、次のようにしてもよい。マルチキャリア信号を構成し得る複数のキャリアについて、信号種別毎にタップ係数１〜ｎをタップ係数メモリ３１に予め格納しておく。マルチキャリア信号ｅに含まれるキャリア１〜４について、それぞれに対応するタップ係数をタップ係数メモリ３１から読み出し、これらのタップ係数を合成演算する。続いて、この合成演算されたタップ係数ｍを用い複素ＦＩＲフィルタ部２７を動作させる。
【００２７】
第一の補正信号を生成する際に、次のようにしてもよい。マルチキャリア信号ｅのピーク成分ｈを検出し、この検出されたピーク成分ｈからしきい値ｌを減算する。続いて、この減算された残りの成分ｉが正であるとき、その成分ｉを第一の補正信号ｊとして出力する。
【００２８】
マルチキャリア信号ｆから第二の補正信号ｋを減算して出力する際に、次のようにしてもよい。マルチキャリア信号ｅから第二の補正信号ｋが生成されるまでの時間だけ、マルチキャリア信号ｅを遅延させる。続いて、この遅延したマルチキャリア信号ｆから第二の補正信号ｋを減算する。
【００２９】
次に、本実施形態の効果について説明する。関連技術（図４）では、キャリア１〜４に対してそれぞれの過剰なピークを抑制した後にこれらを合成していたので、マルチキャリア信号に再び過剰なピークが生ずるという問題があった。これに対して、本実施形態によれば、キャリア１〜４を合成した後のマルチキャリア信号ｅに対して過剰なピークを抑制することにより、この問題を防止することができる。また、関連技術（図４）では、キャリア１〜４に対してそれぞれの過剰なピークを抑制する手段が４個必要であった。これに対して、マルチキャリア信号に対して過剰なピークを抑制する手段は１個でよいので、構成を簡素化できる。したがって、本実施形態によれば、信号品質に対する要求の異なるキャリアが混在したマルチキャリア送信信号に対して、簡単な構成でありながら、ピークファクタの低減効果を確実に得られる。
【００３０】
換言すると、本実施形態のピークファクタ低減装置１１は、マルチキャリア合成後の信号に対してピーク抑圧する構成であり、複素ＦＩＲフィルタ部２７及び複素ＦＩＲタップ係数演算部３０を備えることを特徴とする。複素ＦＩＲフィルタ部２７は、マルチキャリア合成後のピーク成分ｈを検出するピーク検出回路２４と、その後段のしきい値減算回路２５及び補正信号生成部２６とによって生成されるピークキャンセル用の第一の補正信号ｊを、キャリア１〜４毎の送信信号スペクトルの範囲内に帯域制限する。複素ＦＩＲタップ係数演算部３０は、複素ＦＩＲフィルタ部２７のタップ係数をキャリアの信号種別毎に格納するタップ係数メモリ３１から、キャリア１〜４の信号種別に応じたキャリア１〜４毎のタップ係数を選択して、これらのタップ係数を合成演算する。つまり、フィルタ手段１３は、キャリア１〜４の信号種別情報に基づいてキャリア１〜４毎のタップ係数を選択することにより、キャリア１〜４毎のピークキャンセル用の第二の補正信号ｋのレベルを信号種別毎に調整する構成になっている。
【００３１】
以上の構成により、マルチキャリア合成信号としてのピークファクタ低減効果を損なうことなく、かつ各キャリアの信号種別に応じた信号品質規格を満足することを実現できる。詳しく言うと、ピークファクタ低減装置１１によれば、信号品質に対する要求が厳しい方式が適用されたキャリアと、そうではないキャリアとが混在したマルチキャリア信号に対して、マルチキャリア合成後のピークファクタ低減回路のみの単純な構成のままで、マルチキャリア合成後のピークファクタ低減効果を損なうことなく、各キャリアの信号種別に応じてそれぞれの信号品質規格を満足することが可能となる。
【００３２】
次に、本実施形態のピークファクタ低減装置１１における動作を説明する。
【００３３】
キャリア１ ＩＱ信号、キャリア２ ＩＱ信号、キャリア３ ＩＱ信号、キャリア４ ＩＱ信号は、それぞれキャリア１〜４毎の周波数オフセット用の数値制御発振部２１ａ、２１ｂ、２１ｃ、２１ｄからの周波数回転信号と周波数オフセット用の複素乗算回路２２ａ、２２ｂ、２２ｃ、２２ｄとによって、キャリア１〜４毎に所要の周波数オフセット（例えば±２．５ＭＨｚ、±７．５ＭＨｚなど）が施された後、合成回路２３によりマルチキャリア合成される。
【００３４】
そのマルチキャリア信号ｅの出力ＩＱ信号に対して、ピーク検出回路２４としきい値減算回路２５に設定されたマルチキャリア用のリミットしきい値ｌとによって、リミットしきい値ｌを超過した部分のみを抽出し、これをピークキャンセル用の第一の補正信号ｊとして生成する。
【００３５】
生成された第一の補正信号ｊは、第二の補正信号ｋとなって、マルチキャリア合成後に遅延回路２８を介した主信号系から減算回路２９によって減算される。ここで、第一の補正信号ｊは、インパルス信号のように広帯域信号であるため、単純に送信信号から減算すると帯域外スプリアスとなる。そのため、複素ＦＩＲフィルタ部２７によって、第一の補正信号ｊに対してキャリア１〜４毎の送信信号スペクトルの範囲内に帯域制限する。その帯域制限された第一の補正信号ｊが第二の補正信号ｋである。
【００３６】
ここで、帯域制限は各キャリア毎に行う目的から、複素ＦＩＲ型を採用する。複素ＦＩＲタップ係数演算部３０では、キャリアの信号種別毎に複数のタップ係数を格納するタップ係数メモリ３１から、キャリアの信号種別に応じたキャリア１〜４毎のタップ係数を選択して合成演算し、その結果を複素ＦＩＲフィルタ部２７に反映する。
【００３７】
タップ係数メモリ３１に格納するキャリアの信号種別に応じたキャリア毎のタップ係数は、マルチキャリア信号中の、信号品質に対する要求が厳しい方式（例えば多値ＱＡＭ）が適用されたキャリアと、そうではないキャリア（例えばＱＰＳＫ）に対して、各々が所要の信号品質規格（例えばＥＶＭやＰＣＤＥ）を満足できるよう、マルチキャリア信号に対するピークキャンセル用補正信号の各キャリアへの配分量を調整したフィルタ特性を実現する値とする。
【００３８】
次に、マルチキャリア合成信号に対するピークキャンセル用補正信号の各キャリアへの配分量を調整する具体的な方法を図３に示す。
【００３９】
各キャリアの帯域が同一であれば、同一タップ係数でゲインのみ調整することで容易に実現できる。しかし、この場合、図３ａ）に示すように、フィルタの減衰量を大きくしてピークキャンセル用補正信号の配分を小さくしたキャリア１の帯域に対して、フィルタの減衰量を小さくして（又はゲインを持たせて）ピークキャンセル用補正信号の配分を大きくしたキャリア２用フィルタによる減衰しきれないピークキャンセル用補正信号が、漏れ込む影響がある。
【００４０】
したがって、図３ｂ）に示すように、各キャリアの帯域が同一であっても、同一タップ係数でゲインのみ調整するのではなく、他キャリア帯域に対しては十分減衰が得られ、かつ自キャリア帯域に対して所要の減衰（又はゲイン）特性が得られるように、異なる複数のタップ係数を格納したタップ係数メモリ３１を備える構成とする。
【００４１】
タップ係数演算部３０では、外部（上位装置）からの各キャリアＯＮ／ＯＦＦ情報、及び信号種別情報（ＱＰＳＫや多値ＱＡＭ等）のキャリア情報に基づいて、所要のタップ係数を選択する。
【００４２】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【産業上の利用可能性】
【００４３】
本発明は、無線通信システムにおける送信機に利用され、詳しくはマルチキャリア送信信号のピークファクタを低減する技術に利用可能である。
【符号の説明】
【００４４】
１０  送信機
１１  ピークファクタ低減装置
１２  補正信号生成手段
１３  フィルタ手段
１４  出力手段
１５  マルチキャリア信号生成手段
２１ａ、２１ｂ、２１ｃ、２１ｄ  周波数オフセット用の数値制御発振部
２２ａ、２２ｂ、２２ｃ、２２ｄ  周波数オフセット用の複素乗算回路
２３  合成回路
２４  ピーク検出回路
２５  しきい値減算回路
２６  補正信号生成部
２７  複素ＦＩＲフィルタ部
２８  遅延回路
２９  減算回路
３０  タップ係数演算部
３１  タップ係数メモリ
３２ａ、３２ｂ、３２ｃ、３２ｄ  キャリア毎リミッタ回路
３３  キャリア毎リミットしきい値設定部
３４ａ、３４ｂ、３４ｃ、３４ｄ  遅延回路
３５ａ、３５ｂ、３５ｃ、３５ｄ  乗算回路
３６  合成回路
３７  ピーク検出回路
３８  補正値演算部
ｅ  マルチキャリア信号
ｆ  遅延したマルチキャリア信号
ｇ  ピーク成分が抑圧されたマルチキャリア信号
ｈ  ピーク成分
ｉ  ピーク成分からしきい値を減算した残りの成分
ｊ  第一の補正信号
ｋ  第二の補正信号
ｌ  しきい値
ｍ  合成演算されたタップ係数
【図１】
2010226589.tif 000003
【図２】
2010226589.tif 000004
【図３】
2010226589.tif 000005
【図４】
2010226589.tif 000006